(57)【要約】 【課題】  比較的簡易な構造で、効率的に肉骨粉から獣毛を分別する装置を提供する。【解決手段】  篩機１は前工程の粉砕機で破砕された肉骨粉を受けて、所望の大きさの肉骨粉と獣毛を高速水平回転網により分離する。篩機１における篩パスの肉骨粉は、飼料製造ラインに戻される。一方、篩オンの肉骨粉と獣毛とは解砕機２に送出され、移動中または高速回転中にできた毛玉はここで解される。重い肉骨粉と解された獣毛は、風選別機３により風力選別される。重い肉骨粉は粉砕機にリサイクルし、風力により空気排出孔３ｂから排出された豚毛と軽い肉骨粉は、サイクロン５により分別され、獣毛はロータリーバルブ６により取り出される。サイクロン５の気流は大気に放出される。本発明の獣毛分離装置は、獣肉と獣毛の分離のみならず、繊維状物と比重差のある粉粒体の分離に広く適用できる。【選択図】図１
2006167578.tif 000002
【特許請求の範囲】
【請求項１】
破砕された肉骨粉から獣毛を分離する装置であって、水平回転半径が２０〜２００ｍｍ、回転数が２００〜５００ｒｐｍまたは回転速度が６００ｍｍ／秒以上の網を有し、一定寸度の肉骨粉を網パスし、それ以上の肉骨塊と獣毛を網オンする篩機を備えたことを特徴とする獣毛分離装置。
【請求項２】
網の線径が０．２〜３ｍｍφ、目開きが２〜１０ｍｍであることを特徴とする請求項１記載の獣毛分離装置。
【請求項３】
篩機が被篩別物の進行方向において下方傾斜配置されていることを特徴とする請求項１記載の獣毛分離機。
【請求項４】
破砕された肉骨粉から獣毛を分離する装置であって、破砕物が一定方向に一定速度で進行するように傾斜し、高速水平回転する網を有し、一定寸度の肉骨粉を網パスし、それ以上の肉骨粉と獣毛とを網オンとする篩機と、網オンの毛玉化した獣毛を解砕する解砕機と、肉骨粉と獣毛とを空気流で選別する風選別機と、選別された獣毛を除去するサイクロンとを備えたことを特徴とする獣毛分離装置。
【発明の詳細な説明】
【技術分野】
【０００１】
本発明は、獣毛分離装置、特に飼料製造時に肉骨粉に混入する獣毛の分離装置に関するものである。
【背景技術】
【０００２】
飼料の製造に際して、飼料原料となる肉骨粉と獣毛を篩別により分離することはきわめて困難である。獣毛は、長さは長いが径は細い。飼料原料となる破砕された肉骨粉を篩パスの通過物とすると、獣毛は網の目開きより長さが長いので、網の上に横方向にある大部分は網オンとなって肉骨粉と分離できるが、網の目開きより径は細いので、網に対して縦または斜め方向にある一部が網を通過し、肉骨粉に混入することは避けられない。
【０００３】
このため、従来の獣毛除去は、ほとんど人手により行われきた。一方、獣毛除去とは無関係であるが、上下２枚の選別網を水平回転運動させて、穀類からワラ屑を選別する穀物の粗選機は、特許文献１により知られている。また特許文献２は同様に水平回転運動を利用して、所定の範囲の大きさに粉粒体を選別する装置を開示している。
【特許文献１】特公昭６４−６８２９号公報
【特許文献２】特許第２９１５０３５号公報
【発明の開示】
【発明が解決しようとする課題】
【０００４】
特許文献１は、穀物から穀物より大きい藁屑、木片、木枝、金属片、砂等の異物を取り除く穀類の粗選機である。この粗選機は、水平運動をする二枚の選別網を上下に配置し、上の選別網オンで穀類より大きい異物を除去し、下の選別網パスで穀類より小さい異物を除去し、穀類を下の選別網オンのとして選別取得するもので、基本的には異物を網目の目開きの大きさのみで選別している。このような単なる水平回転篩機では、飼料原料となる肉骨粉から選別対象物より、長さは長いか径が細い獣毛を除去することはできない。一方、特許文献２は、水平回転スクリーンにより穀粒、小麦粉、土砂等を選別するに当たり、上下２段のスクリーン付き箱を互いに回転主軸に対して、同一半径で１８０°の位相を保って水平回転させ、回転による遠心力を相殺するようにしたものである。この発明は、この水平回転にともなう遠心力の相殺で、装置の安定化を確保しているが、選別自体はスクリーンの目開きの大きさに依存しており、同様の理由で肉骨粉から獣毛を除くことはできない。いずれにしろ、獣毛の混入は、飼料の品質を劣化させるので、やむを得ず非効率的な人手による分別を余儀なくされてきた。
【０００５】
本発明は、上記のごとき課題を解決したもので、簡易な構造で効率的に獣毛を選別除去する装置を提供することを目的としている。
【課題を解決するための手段】
【０００６】
前記目的を達成した本発明の第１発明に係わる獣毛選別装置は、破砕された肉骨粉から獣毛を分離する装置であって、水平回転半径が２０〜２００ｍｍ、回転数が２００〜５００ｒｐｍまたは回転速度が６００ｍｍ／秒以上の網を有し、一定寸度の肉骨粉を網パスし、それ以上の肉骨塊と獣毛を網オンする篩機を備えたことを特徴としている。
【０００７】
この場合、網の線径は０．２〜３ｍｍφ、目開きは２〜１０ｍｍであることが、篩別効率の観点から好適である。
【０００８】
篩機は、被篩別物が自然に次工程に移動するように、進行方向において下方傾斜配置されているのが望ましい。
【０００９】
本発明の第１発明に係わる獣毛選別装置は、破砕された肉骨粉から獣毛を分離する装置であって、破砕物が一定方向に一定速度で進行するように傾斜し、高速水平回転する網を有し、一定寸度の肉骨粉を網パスし、それ以上の肉骨粉と獣毛とを網オンとする篩機と、網オンの毛玉化した獣毛を解砕する解砕機と、肉骨粉と獣毛とを空気流で選別する風選別機と、選別された獣毛を除去するサイクロンとを備えたことを特徴としている。
【発明の効果】
【００１０】
本発明は、以下の利点を有し、破砕された肉骨粉と混入した獣毛を簡便で、効率よく選別でき、飼料の製造の品質の向上とコストの低減に寄与する。
（１）本来分かちがたい性状の破砕された肉骨粉と獣毛との分別を、高速水平回転の網を備えた篩機により可能にした。
（２）篩機に引き続き、毛玉解砕機、風選別機及びサイクロンを組み合わせることにより、獣毛除去率略１００％を達成した。
【発明を実施するための最良の形態】
【００１１】
以下図面に基づいて、本発明の好ましい実施の形態を、主として豚肉骨粉と豚毛の分離について詳述する。処理対象となる肉骨粉及び獣毛の種類によって、本装置の操作条件は異なることもあるので、本発明は以下の操作条件に限定されるものではない。
【００１２】
図１は、本発明における獣毛選別機の一例を示す。図１において、篩機１は前工程の粉砕機（図示せず）から排出される破砕された豚肉骨粉をホッパーＡで受けて、例えば２．４ｍｍ以下の大きさの豚肉骨粉と豚毛とを、網の傾斜により移動させながら、高速水平回転して篩別する。本発明において、高速水平回転とは、回転半径が２０〜２００ｍｍ、回転速度が２００〜５００ｒｐｍまたは回転速度が６００ｍｍ／秒を維持することを要する。この条件以下では、獣毛が一部網を通過する恐れがあり、十分な獣毛の分離効率を期待できない。この条件以上では、網パスの粒子径が小さくなって量が減り、実用的でない。また、機構上装置的に無理があり、コストも高くなる。篩機１における網パスの豚肉骨粉は、排出口Ｂを通って、飼料製造ラインの原料タンク（図示せず）に排出、貯蔵される。
【００１３】
篩機１による肉骨粉と獣毛の分別の作用は、長いものは短いものより網の通過に時間を要するため、その時間差間の範囲に合わせた速度で網を水平移動させると、長い獣毛の直径が肉骨粉通過の目開きより細くても弾かれて通過できず、肉骨粉は通過しても獣毛は網の上に残ることによると推定される。これには、網の水平回転半径、回転数（回転速度）が微妙に関係し、実験によると、水平回転半径が２０〜２００ｍｍの場合、回転数が２００〜５００ｒｐｍ、または回転速度が６００ｍｍ／秒以上が好適である。装置のバランス上、回転数が５００ｒｐｍを超えると実用に耐えない。
【００１４】
一方、破砕ミスあるいは２次凝集により２．４ｍｍ以上の大きさになった網オンの豚肉骨粉と豚毛とは、解砕機２を介して風選別機３に落下する。豚毛は、篩機１の移動中及び高速水平回転中、一部がこぶし程度の毛玉となり、網オンの豚肉骨粉と風力のみによる選別が難しくなるので、解砕機２によりこの毛玉をあらかじめ解しておく。風選別機３は、側壁の一方に複数の空気取入孔３ａを、これと対抗する側に複数の空気排出孔３ｂを備え、風力により重い豚肉骨粉と解砕された豚毛を分別する。風量は、１０〜１００ｍ３／分程度が好適であり、風選別機３内の風速は２〜１０ｍ／秒が好適である。豚肉骨粉の大部分は重力で下方に落下し、リサイクル管Ｃを介して粉砕機にリサイクルされる。必要に応じて、工程外に出して肥料原料、その他の用途に用いることもできる。一部混入した微粉の軽い豚肉骨粉は、豚毛とともに風力により空気排出孔３ｂから噴出され、ダクト４を通ってサイクロン５に送出される。サイクロン５の風力は、目的に応じて適宜調整する。サイクロン５で空気流から分離され下方に溜まった豚毛は、ロータリーバルブ６により取出口Ｄから工程外に出す。サイクロン５から排出された空気は、吸引ファン７の吸引によりダクト４ａを介して排気口Ｅから大気に放出される。なお、風選別機３、サイクロン５、吸引ファン７はダクト４、４ａにより連結されているので、風選別機３の空気取入口３ａからサイクロン５を経て排気口Ｅから大気中に放出されるまでの気流は、すべて吸引ファン７の吸引による。
【００１５】
図２は、本発明の獣毛選別機の核となる篩機１の詳細を示す。図２において、篩機１の網８は網枠９に張設されている。処理量が少ない場合には、網８に代えてパンチング板を使用することもできる。網８には金網が好適である。網の線径及び目開きは、処理対象物及び製品の用途によって異なるので特定できないが、飼料用の豚肉骨粉と豚毛の分離選別にあっては、線径１．１ｍｍφ、目開き約４ｍｍ程度が実用的である。特に、線径は豚毛の分離に大きな影響を与え、０．７〜１．１ｍｍφの範囲が好適である。網枠９は、４個の軸受部１０により支承されている。この網枠９は、後述する機構により、例えば同一半径４０ｍｍで矢印方向に同一回転する。回転数は２００〜５００ｒｐｍ、さらに好ましくは２００〜３００ｒｐｍである。軸受部１０は４個示したが、最低３個あれば足りる。各軸受部１０には、バランスウエイト１１を同一方向に設けてある。
【００１６】
図３は、網枠９の回転支持構造を示す。図３における網枠９の軸受部１０は、図４に示すように、基本的にはバランスウエイト１１を備えたクランク軸１２からなる。クランク軸１２の上回転軸１３は、上ベアリングケース１７に、上ベアリング１５を介して回転自在に嵌装されている。同様にクランク軸１２の下回転軸１４は、下ベアリングケース１８に下ベアリング１６を介して回転自在に支承されている。１９、２０は上下のオイルシールであり、２１、２２はクランク軸１２の抜け防止用押さえ板である。上ベアリングケース１７は網枠９に固定された取付部２３に、下ベアリングケース１８は架台２４にそれぞれ取り付けられている。なお、回転の駆動力は、４個の下回転軸１４のうちのひとつにのみ伝達される。本発明では、かかる構成により、篩機１の網枠９に、４個の軸受部１０を中心とする同一方向の水平回転運動を起こさせる。
【００１７】
図５は、篩機１の設置構造を示す。図５において、水平に円運動する網８は、網オン品の出口が下りになる形で傾斜配置されている。網８の傾斜角度は、網の目開き、線径によって異なるが、１〜２０度、好適には２〜７度程度である。網８は、網枠２５に取り付けられており、好適には網枠内に目詰まり防止用の複数個のボール２６を入れておく。網枠２５の下側には、転動するボール２６を枠内に保持するためのパンチング板を設けている。網８と同一面上の入り口側には、豚肉骨粉を一旦受けるための受板８ａを取り付けてある。網８の上面は、カバー２７で覆われている。カバー２７の一部は、篩１の入り口から入った豚肉骨粉を受板８ａに案内するガイド２７ａを構成する。２８は、網８に円運動を与えるモーターである。
【００１８】
図６は、本発明の獣毛選別機に用いる毛玉の解砕機を例示する。図１の篩機１からの篩オンの豚肉骨粉と一部毛玉となった豚毛は、解砕機２の図６におけるケース２９内を矢印方向に自重で通過する。ケース２９内には、軸３０に固定された２枚の円板３１間に、叩棒３２が４列固定されている。３３はモーターである。叩棒３２は約直径５〜１０ｍｍ程度で、モーター３３による回転で、２ｍ〜５ｍ／秒程度の速度で毛玉を叩き解す。
【００１９】
図７は、本発明の獣毛選別機に用いる風選別機３の一例を示す。解砕機２により解された豚毛の毛玉は、豚肉骨粉とともに上部から矢印方向に風選別機に落下してくる。風選別機３は、相対抗して空気取入孔３ａと空気排出孔３ｂとを備えており、吸引ファン７の吸引により、風選別機内で流速２〜１０ｍ／秒の風が流れている。３ｃは風の案内板である。この風力により、重い豚肉骨粉は風選別機３の下方から矢印方向に出て、粉砕機にリサイクルされる。一方、混入した微粉の軽い豚肉骨粉と豚毛は、風とともに空気排出孔３ｂからダクト４に送出され、次工程のサイクロン５へ送出される。サイクロン５には既製のものを選択使用し、豚毛を回収する。
【００２０】
本発明の獣毛選別機では、高速水平回転する篩機１により、肉骨粉と獣毛とを効率よく分離することができるが、一連の篩機１、解砕機２、風選別機３、サイクロン５を通すことにより、１００％近く分別できる。
【００２１】
図１に示す本発明の獣毛分離装置で処理した結果と、同一目開きの網を有する通常の振動篩で処理した結果を、豚毛の選別分離効率に関しては表１に、また得られた製品中の豚毛混入量に関しては表２に示す。  
【表１】
2006167578.tif 000003
【表２】
2006167578.tif 000004
注：本発明装置Ａ
（１）水平篩機（自社製）
（８００×１６００型）×２基
回転半径…４０ｍｍ
動力…２．２ｋｗ×２基
（２）風選別機（ＫＩＣＥ−ＩＮＤＵＳＴＲＩＥＳ社製）
型式…ＭＵＬＴＩ−ＡＳＰＩＲＡＴＯＲ
能力…１．８トン／時
（３）サイクロン（ＫＩＣＥ−ＩＮＤＵＳＴＲＩＥＳ社製）
型式…ＣＫＳ−２４ＬＨ
能力…４５ｍ３／分
（４）ロータリーバルブ（ＫＩＣＥ−ＩＮＤＵＳＴＲＩＥＳ社製）
型式…ＶＪ１０×８×８
能力…０．４ＫＷ
（５）吸引ファン（ＫＩＣＥ−ＩＮＤＵＳＴＲＩＥＳ社製）
型式…ＦＣ１１Ｗ１２
能力…４５ｍ３／分；７．５ＫＷ
（６）操作条件
水平篩機回転数…２４０ｒｐｍ
本発明装置Ｂ
（１）使用機器…本発明装置Ａと同一
（２）操作条件
水平篩機回転数…２７０ｒｐｍ
既存篩機
（１）振動篩機（興和工業株式会社製）
型式…ＲＦ１５００−１Ｃ型×２基
動力…３．７ＫＷ×２基
【００２２】
表１から明らかのように、本発明の獣毛選別装置によれば、9メッシュ網パスは７６．８％であるが、既存の振動篩分機によれば、同一メッシュの篩で９９．２３５％が篩パスとなり、分別効率が悪い。一方、篩オンの肉骨粉と獣毛も、本発明の獣毛分別装置では２３．２％が捕捉されているが、従来の篩分機では０．７６５％に過ぎない。また表２から明らかなように、実際の製品中に含まれる獣毛の混入量も、本発明の獣毛分離装置では０．２％以下であるのに対し、従来の篩分機では３．８％以上である。
【産業上の利用可能性】
【００２３】
本発明の実施形態は、主として飼料用の原料である豚肉塊と豚毛の分離について述べたが、牛、山羊、羊等の肉骨粉と獣毛の分離はもとより、比重差のある異物と繊維状物質との選別分離にも広く利用できる。
【図面の簡単な説明】
【００２４】
【図１】本発明の獣毛分離機の全体を例示する模式図である。
【図２】図１の獣毛分離機に用いる篩機を模式的に示す平面図である。
【図３】図２の篩機を模式的に一部断面で示す横側面図である。
【図４】図２の篩機の支持構造を模式的に示す拡大横側面図である。
【図５】図２の篩機の設置機構を模式的に示す縦側面図である。
【図６】図１の獣毛装置に用いる毛玉の解砕機を模式的に示す側断面図である。
【図７】図１の獣毛装置に用いる風選別機を模式的に示す側断面図である。
【符号の説明】
【００２５】
１……篩機
２……解砕機
３……風選別機
３ａ…空気取入孔
３ｂ…空気排出孔
３ｃ…案内板
４……ダクト
４ａ…ダクト
５……サイクロン
６……ロータリーバルブ
７……吸引ファン
８……網
８ａ…受板
９……網枠
１０……軸受部
１１……バランスウエイト
１２……クランク軸
１３……上回転軸
１４……下回転軸
１５……上ベアリング
１６……下ベアリング
１７……上ベアリングケース
１８……下ベアリングケース
１９……上オイルシール
２０……下オイルシール
２１……上押さえ板
２２……下押さえ板
２３……取付部
２４……架台
２５……網枠
２６……目詰まり防止ボール
２７……カバー
２７ａ…ガイド
２８……駆動モーター
２９……ケース
３０……軸
３１……回転板
３２……叩棒
３３……モーター
Ａ……ホッパー
Ｂ……篩パス物の排出口
Ｃ……リサイクル管
Ｄ……豚毛の取出口
Ｅ……排気口
【図１】
2006167578.tif 000005
【図２】
2006167578.tif 000006
【図３】
2006167578.tif 000007
【図４】
2006167578.tif 000008
【図５】
2006167578.tif 000009
【図６】
2006167578.tif 000010
【図７】
2006167578.tif 000011